(57)【要約】【課題】プッシュボタンのプッシュ操作によって吐水状態が切り替わるようになした吐水装置において、現在の吐水状態を表示する表示が使用者にとって分り易いものとする。【解決手段】プッシュボタンのプッシュ操作によって吐水状態が切り替わるようになした吐水装置において、プッシュボタン６８に表示窓１３６を設けるとともに、表示窓１３６の裏側且つ表示窓に臨む位置に表示部１３４ａ，１３４ｂを位置させるようにし、表示窓１３６を通じて現在の吐水状態を表示するようにする。その際、プッシュボタン６８のプッシュ操作により表示リング１３０を回転させ、異なった吐水状態を表示する表示部１３４ａ，１３４ｂの位置をプッシュボタン６８のプッシュ操作に連動して変化させ、それぞれを交互に表示窓１３６に現れるようにする。【選択図】        図８
2004250894.tif 000002
【特許請求の範囲】
【請求項１】
プッシュボタンのプッシュ操作によって吐水状態が切り替わるようになした吐水装置において、
前記プッシュボタンに表示窓を設けるとともに、該表示窓の裏側且つ該表示窓に臨む位置に表示部を位置させるようにし、該表示窓を通じて現在の吐水状態を表示するようになしたことを特徴とする吐水装置。
【請求項２】
請求項１において、前記プッシュボタンをプッシュ操作することによって吐水状態が切り替わるようになしてあるとともに前記表示窓を通じての表示が吐水状態に応じて切り替わるようになしてあることを特徴とする吐水装置。
【請求項３】
請求項１，２の何れかにおいて、前記プッシュボタンのプッシュ操作により回転部材が回転するようになしてあるとともに、該回転部材には異なった吐水状態を表示する複数の表示部が設けてあり、該プッシュボタンのプッシュ操作により吐水状態が切り替わるとともに、該回転部材の回転に伴って異なった表示部が前記表示窓に現れるようになしてあることを特徴とする吐水装置。
【請求項４】
請求項３において、前記吐水装置が、前記プッシュボタンを１回プッシュ操作するごとに異なった吐水状態を保持するスラストロック機構を有しており、該スラストロック機構に前記回転部材が備えてあることを特徴とする吐水装置。
【請求項５】
請求項４において、前記異なった吐水状態の一方が原水吐水状態であり、他方が浄水吐水状態であることを特徴とする吐水装置。
【請求項６】
請求項１〜５の何れかにおいて、前記吐水装置が水栓における吐水ヘッドに一体に構成してあり、前記プッシュボタンが該吐水ヘッドの前端面に且つ軸方向に押込可能に設けてあることを特徴とする吐水装置。
【発明の詳細な説明】
【０００１】
【発明の属する技術分野】
この発明はプッシュボタンのプッシュ操作により吐水状態を切り替えることのできる吐水装置に関し、詳しくは現在の吐水状態を表示する表示手段に特徴を有するものに関する。
【０００２】
【従来の技術】
従来、吐水口からの吐水を、例えば原水（水道水）を１本の整流束でストレート吐水するストレート吐水から、シャワー状に吐水するシャワー吐水に若しくはその逆に切り替えたり、或いは原水の吐水と浄水の吐水とを切り替えたりする吐水装置においては、現在の吐水状態を使用者に認識させるために、現在の吐水状態を表示する何らかの表示手段が設けてあるのが普通である。
【０００３】
例えば下記特許文献１には、水栓の吐水ヘッドに一体に構成した吐水装置に、吐水切替えのための操作部としてプッシュボタンを設け、そのプッシュボタンのプッシュ操作により、原水吐水と浄水吐水とを切り替えるようになすとともに、そのプッシュボタンの上側の位置に、吐水の状態を表す表示部を設けた点が開示されている。
【０００４】
この吐水装置では、吐水ヘッドの前面から突き出したプッシュボタンをプッシュ操作（押込操作）してこれを押込位置に位置させると、吐水状態が原水吐水から浄水吐水に切り替わり、また押込位置にあるプッシュボタンをプッシュ操作してこれを元の突出し位置に戻すと、吐水状態が浄水吐水から原水吐水に切り替わるもので、その上側に設けた表示部は、プッシュボタンの吐水ヘッドからの突出し量を図示するとともに、その突出し量が大きいときには原水吐水であり、突出し量が少ないときには、つまりプッシュボタンが押込位置にあるときには浄水吐水である旨を表示するものとなっている。
【０００５】
一方下記特許文献２には、水栓の吐水管に後付けで取り付けられる浄水装置（吐水装置）が示されており、そこにおいて操作部としてのレバーを回転操作することによって、そのレバーとは異なった位置の表示部に現在の吐水状態、詳しくは原水のストレート吐水，シャワー吐水，浄水吐水の表示が現れるようになした点が開示されている。
【０００６】
【特許文献１】
特開２００２−１０６００６号公報
【特許文献２】
特開２００１−１６２２７２号公報
【０００７】
【発明が解決しようとする課題】
しかしながらこの特許文献１の吐水装置では、結局のところプッシュボタンが現在突出し状態にあるのか、押込状態であるのかを使用者が見分けなければ、現在の吐水状態を認識することはできない。
しかしながらプッシュボタンが現在大きく突き出した状態にあるのか或いは押込状態にあるのかは一目見ただけではなかなか分り辛く、従ってこの吐水装置の場合、現在の吐水状態がどのような吐水状態であるのか使用者にとって分り辛いものとなっていた。
【０００８】
一方特許文献２に開示の吐水装置では、レバーを回転操作して吐水状態を切り替えると、これに対応してレバーとは別の箇所に設けてある表示窓に現れる表示が切り替わるようになしてあり、特許文献１に開示の上記吐水装置に比べて使用者は吐水状態を認識し易い。
しかしながらこの吐水装置は操作部がレバー式のものであり、この場合レバーが外部に大きく突き出した状態となって、吐水装置周りの外観が煩雑化し、美観の点で問題がある。
【０００９】
本来、吐水状態の表示は操作部自体に設けてあると、操作部を操作する際に表示が見易く好ましいものであるが、この特許文献２の吐水装置では、操作部と表示部とが別々の箇所にあるため、使用者は吐水の切替えに当って操作部と表示部との２箇所を目で確認する必要がある問題がある。
【００１０】
【課題を解決するための手段】
本発明の吐水装置はこのような課題を解決するために案出されたものである。
而して請求項１のものは、プッシュボタンのプッシュ操作によって吐水状態が切り替わるようになした吐水装置において、前記プッシュボタンに表示窓を設けるとともに、該表示窓の裏側且つ該表示窓に臨む位置に表示部を位置させるようにし、該表示窓を通じて現在の吐水状態を表示するようになしたことを特徴とする。
【００１１】
請求項２のものは、請求項１において、前記プッシュボタンをプッシュ操作することによって吐水状態が切り替わるようになしてあるとともに前記表示窓を通じての表示が吐水状態に応じて切り替わるようになしてあることを特徴とする。
【００１２】
請求項３のものは、請求項１，２の何れかにおいて、前記プッシュボタンのプッシュ操作により回転部材が回転するようになしてあるとともに、該回転部材には異なった吐水状態を表示する複数の表示部が設けてあり、該プッシュボタンのプッシュ操作により吐水状態が切り替わるとともに、該回転部材の回転に伴って異なった表示部が前記表示窓に現れるようになしてあることを特徴とする。
【００１３】
請求項４のものは、請求項３において、前記吐水装置が、前記プッシュボタンを１回プッシュ操作するごとに異なった吐水状態を保持するスラストロック機構を有しており、該スラストロック機構に前記回転部材が備えてあることを特徴とする。
【００１４】
請求項５のものは、請求項４において、前記異なった吐水状態の一方が原水吐水状態であり、他方が浄水吐水状態であることを特徴とする。
【００１５】
請求項６のものは、請求項１〜５の何れかにおいて、前記吐水装置が水栓における吐水ヘッドに一体に構成してあり、前記プッシュボタンが該吐水ヘッドの前端面に且つ軸方向に押込可能に設けてあることを特徴とする。
【００１６】
【作用及び発明の効果】
以上のように本発明の吐水装置は、プッシュボタンのプッシュ操作により吐水状態が切り替わるようになし、且つそのプッシュボタンに表示窓を設けて、その表示窓の裏側且つ表示窓に臨む位置に表示部を位置させるようにし、表示窓を通じて現在の吐水状態を表示するようになしたもので、本発明では操作部がプッシュボタンとされていることから、吐水装置の外形形状を煩雑感のないすっきりとしたものとして、吐水装置の美観を良好となすことができる。
【００１７】
また操作部としてのプッシュボタン自体に、現在の吐水状態を表示する表示部が現れるようになしてあるため、使用者にとって吐水状態切替えのための操作性が良好であるとともに、切替操作に際してプッシュボタン１箇所のみを確認するだけで良く、吐水装置の使い勝手が良好となる。
尚本発明における吐水状態とは、吐水が大量である状態，少量である状態、更には吐水がゼロの状態即ち止水状態等をも含む概念である。
【００１８】
本発明においては、プッシュボタンをプッシュ操作することで吐水状態が切り替わるとともに表示窓を通じての表示が吐水状態に応じて切り替わるようになしておくことができる（請求項２）。
このようにした場合、使用者は現在の吐水状態をより簡単且つ明確に認識することができる。
【００１９】
本発明においては、プッシュボタンのプッシュ操作により、異なった吐水状態を表示する複数の表示部を設けた回転部材を回転させ、そしてプッシュボタンのプッシュ操作で吐水状態が切り替わったときに回転部材の回転に伴い、異なった表示部を表示窓に現れるようになしておくことができる（請求項３）。
このようになすことで、吐水状態の切替えに対応した表示の切替えを容易に実現することができる。
【００２０】
この場合において、プッシュボタンをプッシュ操作するごとに回転部材を回転させて、切替後の吐水状態を保持するスラストロック機構を吐水装置に備えておき、その回転部材に異なった吐水状態を表示する複数の表示部を設けておくことができる（請求項４）。
【００２１】
更にこの場合において、異なった吐水状態の一方を原水吐水状態とし、他方を浄水吐水状態となしておくことができる（請求項５）。
【００２２】
次に請求項６は、水栓の吐水ヘッドに吐水装置を一体に構成し、且つプッシュボタンを吐水ヘッドの前端面に且つ軸方向に押込可能に設けたもので、このようにしておけば、プッシュボタンに対する視認性，操作性が良好となり、また併せて表示部もより見易くなる。
【００２３】
【実施例】
次に本発明の実施例を図面に基づいて詳しく説明する。
図１において、１０はキッチン水栓等として用いられるシングルレバー式の水栓（混合水栓）で、１２は吐止水及び吐水の水量調節と温度調節とを行うための主弁を内蔵した水栓本体で、１４はその上部に回動可能に設けられたレバー式の主弁操作部である。
この水栓１０では、主弁操作部１４を左右回動操作することで吐水の温度調節が行われ、また上下に回動操作することで吐止水及び吐水の水量調節が行われる。
【００２４】
１６は水栓本体１２から延び出した吐水管で、水栓本体１２に固定の吐水管本体１８と、その先端側の吐水ヘッド２０とを有している。
ここで吐水ヘッド２０は、可撓性のホース２２とともに吐水管本体１８から引出可能且つ引出状態において３次元に位置移動可能とされている。
【００２５】
吐水ヘッド２０は、図２及び図３にも示しているようにグリップ部２４と、その先端側の頭部２６とを有しており、そのグリップ部２４の基端部にホース２２がシール部材２８によるシールの下に水密に接続固定されている。
ここでホース２２は、吐水管本体１８の中心部に形成されたホース挿通孔内部に軸方向に摺動可能に挿通されている。
【００２６】
グリップ部２４の基端部には差込凹部３０が形成されており、この差込凹部３０に吐水管本体１８側の差込凸部３２（図１参照）を差し込むようにして、吐水ヘッド２０が吐水管本体１８の先端部に嵌められ且つ保持されるようになっている。
【００２７】
グリップ部２４は、内筒部３４を有するグリップ本体３６と、外筒３８との２重筒構造をなしており、その内部に原水（水道水）を通過させることによってこれを浄化する浄化フィルタ４０が収容されている。
【００２８】
浄化フィルタ４０は、全体として円筒形状をなす部材であって、中心部の円筒形状の多孔質のセラミックフィルタ４２を有しており、これを支持体としてその外面に珪藻土４４の層が、更にその外面に活性炭４６の層が積層形成され、その外周面に不織布４８が巻き付けられている。
【００２９】
この浄化フィルタ４０は前後端に非通水性のエンドキャップ５０を有している。
これらエンドキャップ５０はそれぞれ透光性の部材にて構成されており、これらエンドキャップ５０を通じて浄化フィルタ４０の端面、具体的にはセラミックフィルタ４２，珪藻土４４の層，活性炭４６の層，不織布４８の層の端面を外部から目視観察できるようになっている。
即ちこれらエンドキャップ５０を通じて、浄化フィルタ４０の各層の汚れ具合を目視観察できるようになっている。
【００３０】
これらエンドキャップ５０の外周面には周方向に所定間隔でリブ５２が形成されており、これらリブ５２の外周端が内筒部３４の内周面に当接している。
即ちこれらリブ５２によって浄化フィルタ４０の外周側、詳しくは浄化フィルタ４０の外周面とグリップ部２４における内筒部３４の内周面との間に原水通路５４Ａが形成されている。
また浄化フィルタ４０におけるセラミックフィルタ４２の内側に浄水通路５６Ａが形成されている。
【００３１】
上記頭部２６には、本例の吐水装置５８が一体に構成されている。
この吐水装置５８は、頭部２６の下部且つ下向きに原水シャワー吐水口５９と、浄水ストレート吐水口６０とを有しており、更に上記の浄化フィルタ４０の外周側の原水通路５４Ａと原水シャワー吐水口５９とを連通させて、原水通路５４Ａからの原水を原水シャワー吐水口５９に導く原水通路５４Ｂ，浄化フィルタ４０の中心部の浄水通路５６Ａと浄水ストレート吐水口６０とを連通させて、浄水通路５６Ａからの浄水を浄水ストレート吐水口６０に導く浄水通路５６Ｂ，原水ストレート吐水口５９からの原水シャワー吐水と浄水ストレート吐水口６０からの浄水ストレート吐水とを切り替える吐水切替機構６２とを有している。
【００３２】
この吐水切替機構６２は、原水通路５４Ｂを開閉する原水弁部６４と、浄水通路５６Ｂを開閉する浄水弁部６６と、操作部としてのプッシュボタン６８と、プッシュボタン６８に加えられた操作力によって軸方向に進退し、原水弁部６４及び浄水弁部６６を開閉駆動する駆動軸７０と、駆動軸７０を前進位置と後退位置とにそれぞれ位置保持し且つプッシュボタン６８がプッシュ操作される度に駆動軸７０を前進位置保持から後退位置保持に、更に後退位置保持から前進位置保持に切り替える、ロック機構としてのスラストロック機構７２とを備えている。
【００３３】
図４及び図５に上記吐水装置５８の構成が吐水切替機構６２の構成とともに詳しく示してある。ここで図４及び図５は原水弁部が開いた状態を表している。
これらの図に示しているように、原水弁部６４はパイロット式の弁部として構成されている。
【００３４】
図中７４はダイヤフラム弁から成る主弁で、この主弁７４が弁座７６に着座することによって原水通路５４Ｂが遮断され、また主弁７４が弁座７６から図中左向きに離間することによって原水通路５４Ｂが開放される。
【００３５】
主弁７４の背面（図中左側の面）には背圧室７８が形成されており、主弁７４はこの背圧室７８の圧力によって図中右向きに押され、弁座７６に着座させられる。
即ち主弁７４が背圧室７８の圧力によって閉弁させられる。
【００３６】
８０はこの主弁７４を開閉制御するためのパイロット弁であって、シリンダ８２内部に図中左右方向、即ち軸方向に摺動可能に嵌合されている。
【００３７】
背圧室７８は、シリンダ８２底部に設けられた貫通の小孔８４によってシリンダ８２内部に連通するようになっており、更にシリンダ８２内部は、図５に示しているようにシリンダ８２内部から延び出して原水通路５４Ｂの下流部に到る水抜通路８６を通じて原水通路５４Ｂの下流部と連通するようになっている。
【００３８】
本例において、これら小孔８４，シリンダ８２内部、更に水抜通路８６によってパイロット水路が構成されており、このパイロット水路がパイロット弁８０により開放されることで、背圧室７８内部の水が原水通路５４Ｂへと流れ出して、背圧室７８の圧力が消失し、ここにおいて主弁７４が原水通路５４Ｂにおける弁座７６よりも上流部の水圧によって開弁し、原水通路５４Ｂが開放される。そして原水通路５４Ｂからの原水が上記の原水シャワー吐水口５９からシャワー吐水される。
【００３９】
一方パイロット弁８０が図中右向きに押されてパイロット水路を閉鎖すると、ここにおいて原水通路５４Ｂの弁座７６よりも上流部の水が、図５に示しているように主弁７４を貫通して形成された小孔８７を通じて背圧室７８内に流入することで背圧室７８の圧力が上昇し、主弁７４を閉弁させる（図６，図７参照）。
【００４０】
上記駆動軸７０は、浄水弁部６６駆動用の第１駆動軸８８と、原水弁部６４駆動用の第２駆動軸９０とに軸方向の前，後に分けて且つ同軸上に構成・配置してある。
そしてその第２駆動軸９０に上記パイロット弁８０が固設されていて、かかるパイロット弁体８０が第２駆動軸９０と一体に図中左右方向に進退移動するようになっている。
【００４１】
ここで第１駆動軸８８と第２駆動軸９０との間には圧縮コイルスプリングから成るばね９２が介在させてあり、かかるばね９２によって第１駆動軸８８と第２駆動軸９０とが互いに軸方向に離れる向きに付勢されている。
【００４２】
上記浄水弁部６６は、原水弁部６４に対し軸方向に位置を隔てて配置してある。
この浄水弁部６６は、浄水弁９４と弁座９６とを有している。
浄水弁９４は、第１駆動軸８８に一体的に設けられており、かかる第１駆動軸８８と一体に図４中左右方向に移動する。
【００４３】
而して図４及び図５に示しているように浄水弁９４の着座部９８が弁座９６に着座した状態で浄水通路５６Ｂを遮断し、また浄水弁９４の着座部９８が弁座９６から離間することによって浄水通路５６Ｂを開放し（図６，図７参照）、浄水ストレート吐水口６０から浄水をストレート吐水させる。
【００４４】
尚この着座部９８は、図５の部分拡大図に示しているように鍔状に径方向外方に大きく延出するフランジ部１００を設けておき、そのフランジ部１００の外周端縁を弁座９６に着座させるようになすことができる。
この場合、フランジ部１００の背面が受圧面１０２となってそこに浄水通路５６Ｂの水圧が作用し、浄水弁９４が弁座９６に押し付けられて閉弁状態に良好に保持される効果が得られる。
【００４５】
上記第１駆動軸８８と第２駆動軸９０との間には、円筒形状をなす弁ホルダ１０４が設けてあり、この弁ホルダ１０４によって第２駆動軸９０が図中左右方向に移動可能に保持されている。
この弁ホルダ１０４には、圧縮コイルスプリングから成るばね１０６の一端が当接させてあり、このばね１０６によって、弁ホルダ１０４を介し第１駆動軸８８と第２駆動軸９０とを有する駆動軸７０全体が図中左向き、即ちプッシュボタン６８を図中左方向に押し戻す向きに付勢されている。
【００４６】
この駆動軸７０は、図６及び図７に示しているように図中右方向の前進位置において、パイロット弁８０の閉弁により原水弁部６４を閉弁する一方、浄水弁部６６を開弁させ、また図４及び図５に示すように後退位置において浄水弁部６６を閉弁させ、原水弁部６４を開弁させる。
【００４７】
その際上記スラストロック機構７２は、駆動軸７０を前進位置と後退位置とにそれぞれ位置保持し、そしてプッシュボタン６８が１回プッシュ操作されるごとに、駆動軸７０に対する保持を前進位置保持から後退位置保持に、または後退位置保持から前進位置保持に切り替える。
尚、第１駆動軸８８には空気孔７１が形成されている。この空気孔７１は第１駆動軸８８の進退時にばね室７３及び７５の空気を出し入れするためのものである。
【００４８】
このスラストロック機構７２は、ハウジング１０８と、プッシュボタン６８がプッシュ操作されるごとに軸回りに所定角度ずつ回転する回転子（回転部材）１１０と、プッシュボタン６８に加えられた操作力を回転子１１０に伝える伝達部材１１２とを有している。
【００４９】
ハウジング１０８は、図８及び図１０に示しているように内周側に段付部を有しており、その段付面に沿ってカム面１１４が形成されている。
また周方向に所定間隔で落し込用の溝１１６が形成されている。
【００５０】
一方回転子１１０は、図８及び図９に示しているように軸方向の端部に大径部１１８を有しており、その大径部１１８の段付面に沿ってカム面１２０が形成されている。
また大径部１１８には、周方向に所定間隔で半径方向の突出部１２２が形成されている。
尚この回転子１１０には、周方向に所定間隔で軸方向に延びる突条１２４が複数形成されている。
【００５１】
他方伝達部材１１２は、図８及び図１１に示しているように全体として円筒形状をなす部材で、弾性爪１２６を有しており、その弾性爪１２６においてプッシュボタン６８に非回転状態に取り付けられている。
この伝達部材１１２には、その先端面にカム面１２８が形成されており、このカム面の作用で回転子１１０を所定角度ごと回転させるようになっている。
【００５２】
このスラストロック機構７２の場合、プッシュボタン６８を図中右向きにプッシュ操作すると、伝達部材１１２が先端のカム面１２８を回転子１１０のカム面１２０に当接させながら回転子１１０を図８中右向きに押して、回転子１１０のカム面１２０をハウジング１０８のカム面１１４から図８中右向きに離間させ、これと同時に回転子１１０をカム面１２８，１２０のカム作用で所定角度回転させる。
【００５３】
この回転子１１０に対しては上記ばね１０６の付勢力が駆動軸７０を介して図中左向きに加えられており、そこでプッシュボタン６８から手を放すと、回転子１１０がばね１０６の付勢力によって図中左向きに後退するとともに突出部１２２をハウジング１０８の溝１１６に落し込み、ハウジング１０８に対する軸方向の位置を、当初の前進位置から図中左方向の後退位置に変化させる。
【００５４】
そしてその状態からプッシュボタン６８をもう１回プッシュ操作すると、伝達部材１１２によって回転子１１０が図８中右向きに押されて、その突出部１２２がハウジング１０８の溝１１６から離脱するとともに、伝達部材１１２のカム面１２８と回転子１１０のカム面１２０とのカム作用で、更に所定角度回転子１１０が回転させられる。
【００５５】
その後プッシュボタン６８から手を放すと、ばね１０６の付勢力で回転子１１０が再び図８中左向きに押されるが、このとき突出部１２２はハウジング１０８のカム面１１４上に乗り上がった状態となって、それ以上の図８中左向きの後退が阻止される。
【００５６】
このようにして回転子１１０は、プッシュボタン６８をプッシュ操作するごとに、ハウジング１０８に対する軸方向の位置を前進位置から後退位置に、更には後退位置から前進位置に位置変化させる。
【００５７】
これに伴ってスラストロック機構７２による駆動軸７０の保持位置が、前進位置から後退位置に、更には後退位置から前進位置に位置変化させられる。
そしてこれに伴って原水弁部６４の開動作及び浄水弁部６６の閉動作と、原水弁部６４の閉動作及び浄水弁部６６の開動作が行われることとなる。
【００５８】
上記スラストロック機構７２は、図８及び図１２に示す表示リング（回転部材）１３０を有しており、この表示リング１３０が回転子１１０に一体回転状態に組み付けられている。
表示リング１３０は、図１２にも示しているように全体として円筒形状をなしており、その周壁部には回転子１１０における上記突条１２４に対応したピッチで溝１３２が形成されており、この溝１３２に突条１２４を挿入させる状態で、表示リング１３０が回転子１１０に対し外嵌状態に嵌合されている。
【００５９】
この表示リング１３０には表示板１３４が設けられていて、その表示板１３４に現在の吐水状態、即ち浄水ストレート吐水状態を表す表示部１３４ａと、原水シャワー吐水状態を表示する表示部１３４ｂとが周方向に交互に設けられている。
即ちプッシュボタン６８を１回プッシュ操作するごとの回転子１１０の回転角度に対応した間隔で、表示部１３４ａと１３４ｂとが周方向に交互に設けられている。
【００６０】
一方、プッシュボタン６８には透明な表示窓１３６が設けられており、この表示窓１３６を通じて表示部１３４ａ又は１３４ｂが外部に現われるようになっている。
即ち回転子１１０の表示部１３４ａ又は１３４ｂが、プッシュボタン６８の裏側において表示窓１３６に臨むように配置されており、そして表示リング１３０が回転子１１０とともに所定角度回転するごとに、表示窓１３６を通じて表示部１３４ａ又は１３４ｂが交互に外部に現われるようになっている。
ここで表示窓１３６は、プッシュボタン６８に形成した開口部に透明の樹脂を埋めて構成してある。
【００６１】
次に本例の吐水装置５８の作用を以下に説明する。
先ず図６，図７及び図１４（Ｉ）は、駆動軸７０が前進位置に保持された状態にあって、原水弁部６４が閉弁状態、浄水弁部６６が開弁状態に保持された状態にあり、このとき浄化フィルタ４０の中心部の浄水通路５６Ａからの浄水は、図６，図７及び図１３（Ａ）に示す頭部２６内部の浄水通路５６Ｂを流通した後、浄水弁部６６を通過し、更に図１３（Ｂ）に示す浄水通路５６Ｂを経て、図２及び図７の浄水ストレート吐水口６０に到り、そこから外部にストレート吐水される。
【００６２】
この状態でプッシュボタン６８を図中右向きに１回プッシュ操作すると、スラストロック機構７２によるロック位置の変更によって駆動軸７０が後退位置となり、ここにおいて図４，図５及び図１４（ＩＩＩ）に示しているように、浄水弁部６６が閉弁状態、原水弁部６４が開弁状態となる。
【００６３】
ここにおいて浄化フィルタ４０の外周側の原水通路５４Ａからの原水が、図４，図５に示す頭部２６内の原水通路５４Ｂに流れ込み、更に原水弁部６４を通過して、原水弁部６４の下流側の原水通路５４Ｂに到り、更に図５に示す原水通路５４Ｂを流通して原水シャワー吐水口５８へと到り、そこから外部にシャワー吐水される。
【００６４】
尚、図１４（ＩＩ）は原水弁部６４におけるパイロット弁８０が開弁した状態を、図１４（ＩＩＩ）はこのパイロット弁８０の開弁により主弁７４が開弁した状態をそれぞれ表している。
【００６５】
このように本例では、プッシュボタン６８を１回プッシュ操作するごとに、浄水ストレート吐水と原水シャワー吐水とが切り替えられる。
またその切替えの都度、スラストロック機構７２における表示リング１３０が回転子１１０と一体に所定角度ずつ回転して、表示部１３４ａ，１３４ｂをプッシュボタン６８の表示窓１３６に臨ませ、現在の吐水状態が浄水ストレート吐水であるのか、原水シャワー吐水であるのかを表示する。
【００６６】
以上のように本例の吐水装置では、操作部がプッシュボタン６８とされていることから、吐水装置５８の外形形状を煩雑感のないすっきりとしたものとして吐水装置５８の美観を良好となすことができるとともに、操作部としてのプッシュボタン６８自体に現在の吐水状態を表示する表示部１３４ａ，１３４ｂが現れるため、使用者にとって吐水状態切替えのための操作性が良好であるとともに、切替操作に際してプッシュボタン１箇所のみを確認するだけで良く、吐水装置５８の使い勝手が良好となる。
【００６７】
またプッシュ操作により吐水状態が切り替わるとともに表示窓１３６を通じての表示が切り替わるため、現在の吐水状態をより明確に使用者に対し認識させることができ、使用者にとっては現在の吐水状態がより分り易くなる。
【００６８】
また複数の表示部１３４ａ，１３４ｂを設けた表示リング１３０を吐水状態の切替えと連動して回転させ、異なった表示部１３４ａ，１３４ｂを表示窓１３６に交互に現出させることで、吐水状態の切替えに対応した表示の切替えを容易に実現できる。
【００６９】
以上本発明の実施例を詳述したがこれはあくまで一例示である。
例えば上例では吐水を原水シャワー吐水と浄水ストレート吐水との間で切り替えるようにしているが、本発明は原水ストレート吐水と浄水ストレート吐水との間での切替えは勿論、原水のストレート吐水とシャワー吐水との切替えを行うようになした吐水装置、或いはプッシュボタンのプッシュ操作により吐水の有る状態と無い状態とを切り替えるに際して本発明を適用することも可能であり、更にまた本発明は、水栓とは別体に構成され、水栓に取り付けられて使用される吐水装置等各種の吐水装置に適用することが可能であるなど、その趣旨を逸脱しない範囲において種々変更を加えた形態で構成可能である。
【図面の簡単な説明】
【図１】本発明の一実施例である吐水装置を有する水栓全体の側面図である。
【図２】図１の吐水装置を含む水栓の吐水ヘッドの内部構造を示す図である。
【図３】図２に示す構造を各部材に分解した状態で示す図である。
【図４】同実施例の吐水装置の平面断面図である。
【図５】同実施例の吐水装置の構造を拡大して示す側面断面図である。
【図６】同実施例の吐水装置の図４とは異なる作用状態で示す平面断面図である。
【図７】同実施例の吐水装置を図５とは異なる作用状態で示す側面断面図である。
【図８】同実施例の吐水装置におけるスラストロック機構を周辺部材とともに各部材に分解して示す図である。
【図９】図８における回転子の図である。
【図１０】図８におけるハウジングの図である。
【図１１】図８における伝達部材の図である。
【図１２】図８における表示リングの図である。
【図１３】（Ａ）：図７におけるア−ア断面図である。
（Ｂ）：図７におけるイ−イ断面図である。
【図１４】同実施例の吐水装置の作用説明図である。
【符号の説明】
１０  水栓
２０  吐水ヘッド
５８  吐水装置
６８  プッシュボタン
７２  スラストロック機構
１１０  回転子
１３０  表示リング（回転部材）
１３４  表示板
１３４ａ，１３４ｂ  表示部
１３６  表示窓
【図１】
2004250894.tif 000003
【図２】
2004250894.tif 000004
【図３】
2004250894.tif 000005
【図４】
2004250894.tif 000006
【図５】
2004250894.tif 000007
【図６】
2004250894.tif 000008
【図７】
2004250894.tif 000009
【図８】
2004250894.tif 000010
【図９】
2004250894.tif 000011
【図１０】
2004250894.tif 000012
【図１１】
2004250894.tif 000013
【図１２】
2004250894.tif 000014
【図１３】
2004250894.tif 000015
【図１４】
2004250894.tif 000016